(57)【要約】【課題】フィルムの皺の発生を確実に防止でき、フィルムを送り方向に対して斜めに伸張させることもできるフィルム送り装置を提供する。【解決手段】フィルムＦをロール１で送りつつ伸張させるフィルム送り装置において、フィルムＦの送り方向にロール１を並べたロール列２を、フィルムＦの送り方向に交差する方向に間隔をあけて配置し、ロール１にフィルムＦの滑りを防止する保持部３を設け、各ロール１の回転速度を調整可能とし、フィルムＦの送り方向に対する各ロール列２のなす角度を変えられるようにして、各ロール列２のロール１を上流側から下流側へかけて順次高速で回転させ、対向するロール列２の間隔を上流側から下流側へかけて広げることにより、フィルムＦを二方向に伸張させるようにする。【選択図】図１
2007254115.tif 000002
【特許請求の範囲】
【請求項１】
フィルムＦをロール１で送りつつ伸張させるフィルム送り装置において、フィルムＦの送り方向にロール１を並べたロール列２を、フィルムＦの送り方向に交差する方向に間隔をあけて配置し、ロール１にフィルムＦの滑りを防止する保持部３を設け、各ロール１の回転速度を調整可能とし、フィルムＦの送り方向に対する各ロール列２のなす角度を変えられるようにして、各ロール列２のロール１を上流側から下流側へかけて順次高速で回転させ、対向するロール列２の間隔を上流側から下流側へかけて広げることにより、フィルムＦを二方向に伸張させるようにしたことを特徴とするフィルム送り装置。
【請求項２】
請求項１に記載のフィルム送り装置において、対向するロール列２のロール１の回転速度の比を変えられるようにしたことを特徴とするフィルム送り装置。
【請求項３】
請求項１又は２に記載のフィルム送り装置において、フィルムＦの送り方向に対する各ロール列２のなす角度を、ロール列２ごとに独立して変えられるようにしたことを特徴とするフィルム送り装置。
【発明の詳細な説明】
【技術分野】
【０００１】
この発明は、例えば、液晶ディスプレイの基板等にフィルムを貼り付ける際、フィルムを送りつつ伸張させるフィルム送り装置に関するものである。
【背景技術】
【０００２】
一般に、この種の伸縮性を有するフィルム送り装置として、幅の広いロールをフィルムの送り方向の上流側と下流側に配置し、上流側のロールよりも下流側のロールを速く回転させ、フイルムを送り方向に伸張して、フィルムの厚さを均一化すると共に、フィルムに皺が発生する現象を防止し、光学的特性を改善しようとするものが使用されている。
【発明の開示】
【発明が解決しようとする課題】
【０００３】
しかしながら、上記のようなフィルム送り装置では、フィルムが一方向にのみ伸張されるため、フィルムに皺が発生するおそれがあるほか、フィルムを送り方向に対して斜めに伸張させることもできない。
【０００４】
そこで、この発明は、フィルムの皺の発生を確実に防止でき、フィルムを送り方向に対して斜めに伸張させることもできるフィルム送り装置を提供することを課題とする。
【課題を解決するための手段】
【０００５】
上記課題を解決するため、この発明は、フィルムをロールで送りつつ伸張させるフィルム送り装置において、フィルムの送り方向にロールを並べたロール列を、フィルムの送り方向に交差する方向に間隔をあけて配置し、ロールにフィルムの滑りを防止する保持部を設け、各ロールの回転速度を調整可能とし、フィルムの送り方向に対する各ロール列のなす角度を変えられるようにして、各ロール列のロールを上流側から下流側へかけて順次高速で回転させ、対向するロール列の間隔を上流側から下流側へかけて広げることにより、フィルムを二方向に伸張させるようにしたのである。
【０００６】
また、上記フィルム送り装置において、対向するロール列のロールの回転速度の比を変えられるようにしたのである。
【０００７】
さらに、フィルムの送り方向に対する各ロール列のなす角度を、ロール列ごとに独立して変えられるようにしたのである。
【発明の効果】
【０００８】
このフィルム送り装置によると、フィルムを送り方向とこれに交差する方向の二方向に伸張させるので、伸張させた範囲内では、フィルムの厚さが面状に均一化され、皺の発生が防止されて、優れた光学的特性を得ることができる。また、対向するロール列のロールの回転速度比を調整し、ロール列のなす角度を変化させることにより、二方向の伸び率を自由に設定し、フィルムを送り方向に対して斜め方向に伸張させることもできる。
【発明を実施するための最良の形態】
【０００９】
以下、この発明の実施形態を添付図面に基づいて説明する。
【００１０】
このフィルム送り装置は、図１及び図２に示すように、フィルムＦの送り方向に複数個のロール１を上下交互に並べてロール列２を形成し、このロール列２をフィルムＦの送り方向に交差する方向に間隔をあけて２列配置した構成とされている。
【００１１】
フィルムＦは、伸縮性を有する樹脂膜であり、その両側縁に沿った部分には、送り装置の前工程において、多数のクランプＣが送り方向に等間隔に取り付けられている。このクランプＣは、フィルムＦを両面から挟み込むものである。
【００１２】
ロール１は、幅の狭い車輪状のものであり、その外周には、クランプＣが係合してフィルムＦの滑りを防止する凸凹状の保持部３が設けられている。なお、ロール１の外周に沿って、フィルムＦのロール１からの離脱を防止するガード部材を設けてもよい。
【００１３】
また、各ロール１は、それぞれ独立にモータ４で駆動され、回転速度を変えられるようになっており、対向するロール列２のロール１の回転速度の比を変えることもできる。
【００１４】
各ロール列２は、図３に示すように、フィルムＦの送り方向に平行となった上流端と下流端の部分を除き、フィルムＦの送り方向に対してなす角度θを、それぞれ独立して任意に変化させることができるようになっている。
【００１５】
上記のようなフィルム送り装置を使用する際には、各ロール列２のロール１を上流側から下流側へかけて順次高速で回転させ、対向するロール列２の間隔を上流側から下流側へかけて広げておき、フィルムＦを両側縁に沿った部分が各ロール列２の上下のロール１に挟まれるように、上流側に供給する。
【００１６】
この状態でフィルムＦを送ると、フィルムＦは、クランプＣと保持部３の係合により、ロール１に対して滑ることなく、上流側から下流側へかけてのロール１の回転速度差により、送り方向に伸張され、また、対向するロール列２の間隔の広がりにより、送り方向に交差する方向にも伸張される。
【００１７】
このため、伸張させた範囲内では、フィルムＦの厚さが面状に均一化され、皺の発生も防止されて、例えば、フィルムＦが液晶ディスプレイの基板に貼着するものである場合には、優れた光学的特性を得ることができる。
【００１８】
また、対向するロール列２のロール１の回転速度比を調整し、ロール列２のなす角度θを変化させることにより、二方向の伸び率を自由に設定し、フィルムＦを送り方向に対して斜め方向に伸張させることもできる。
【００１９】
なお、このフィルム送り装置は、液晶ディスプレイの基板に貼着されるフィルムだけでなく、様々なシート状フィルムの送りに使用することができ、均一な厚さで皺のないフィルムを張設した製品を製造することができる。
【図面の簡単な説明】
【００２０】
【図１】この発明の実施形態に係るフィルム送り装置の斜視図
【図２】（ａ）同上の部分縦断側面図、（ｂ）同上のロール軸方向の断面図
【図３】同上のフィルム送り装置の平面図
【符号の説明】
【００２１】
１  ロール
２  ロール列
３  保持部
４  モータ
Ｆ  フィルム
Ｃ  クランプ
【図１】
2007254115.tif 000003
【図２】
2007254115.tif 000004
【図３】
2007254115.tif 000005